(57)【要約】【課題】文書データをプレビュー表示させた際に、文書全体での印刷状態を把握しやすい印刷表示装置、印刷表示方法及び印刷表示プログラムを提供する。【解決手段】マウス１４Ａやキーボード１４Ｂにより、複数のページで構成された文書データのページ毎の印刷対象とする用紙サイズ及び用紙方向を指定し、文書データの各ページの情報を印刷される各用紙の印刷面に関連付けて指定手段により指定された用紙サイズ及び用紙方向に応じた表示形態でディスプレイ１２に一覧表示する。【選択図】図７
2007304810.tif 000002
【特許請求の範囲】
【請求項１】
複数のページで構成された文書データのページ毎の印刷対象とする用紙サイズ及び用紙方向を指定する指定手段と、
前記文書データの各ページの情報を印刷される各用紙の印刷面に関連付けて前記指定手段により指定された用紙サイズ及び用紙方向に応じた表示形態で一覧表示する表示手段と、
を備えた印刷表示装置。
【請求項２】
前記表示手段は、両面印刷時に前記文書データの各ページの情報を用紙毎に表面及び裏面を見開きにした表示形態で表示する
請求項１記載の印刷表示装置。
【請求項３】
前記表示手段は、各ページの情報としてページ番号を表示する
請求項１又は請求項２記載の印刷表示装置。
【請求項４】
前記指定手段は、ページ毎に用紙に対してページの情報を印刷する印刷方向を指定し、
前記表示手段は、各ページの情報を前記指定手段により指定された印刷方向に応じた方向で表示する
請求項１乃至請求項３の何れか１項記載の印刷表示装置。
【請求項５】
複数のページで構成された文書データのページ毎の印刷対象とする用紙サイズ及び用紙方向を指定手段により指定し、
前記文書データの各ページの情報を印刷される各用紙の印刷面に関連付けて前記指定手段により指定された用紙サイズ及び用紙方向に応じた表示形態で表示手段に一覧表示する
印刷表示方法。
【請求項６】
コンピュータを、
複数のページで構成された文書データのページ毎の印刷対象とする用紙サイズ及び用紙方向を指定する指定手段、
前記文書データの各ページの情報を印刷される各用紙の印刷面に関連付けて前記指定手段により指定された用紙サイズ及び用紙方向に応じた表示形態で一覧表示する表示手段、
として機能させる印刷表示プログラム。
【発明の詳細な説明】
【技術分野】
【０００１】
この発明は、印刷表示装置、印刷表示方法及び印刷表示プログラムに係り、特に、複数のページで構成された文書データを両面印刷した場合の各ページの印刷状態を表示する印刷表示装置、印刷表示方法及び印刷表示プログラムに関するものである。
【背景技術】
【０００２】
従来、パーソナル・コンピュータ等の印刷表示装置では、ユーザがワード・プロセッサ・プログラム（所謂、ワープロ・ソフト）や表計算プログラム（所謂、表計算ソフト）等の各種アプリケーション・プログラムを用いて文書データを作成し、文書データに対して印刷条件画面指定より印刷対象とする用紙サイズや用紙方向等の印刷条件を指定して当該文書データをプリンタから印刷することが広く行われており、印刷する前に文書データを印刷した場合の各ページの印刷状態を確認する技術としてプレビュー表示機能が知られている。
【０００３】
このプレビュー表示機能に関する技術として、特許文献１では、プレビュー表示が指示された場合に文書データを構成する全てのページを画面に並べて表示している。
【０００４】
また、特許文献２では、印刷条件として両面印刷が指定されていた場合、文書データを構成する各ページを見開き状態（本を開いたときに並ぶ左右２ページ。）で個別に表示している。
【０００５】
さらに、特許文献３では、指定されたページを個別に印刷した状態と同等に高精細に表示している。
【特許文献１】特開２００１−１３０１１５号公報
【特許文献２】特開平１１−１４３６６４号公報
【特許文献３】特開２００１−７５９５０号公報
【発明の開示】
【発明が解決しようとする課題】
【０００６】
しかしながら、上記特許文献１〜特許文献３の技術を用いて文書データをプレビュー表示させたとしても文書全体での印刷状態を把握しずらい、という問題点があった。
【０００７】
すなわち、特許文献１の技術では、例えば、印刷条件として両面印刷が指定されており、ページ毎に指定された用紙サイズが異なる場合やページ毎に用紙方向が異なる場合に、プレビュー表示を行なって文書データの全てのページを並べて表示させたとしても、実際に印刷される用紙と各ページとの関係が把握しずらく、文書全体での印刷状態を把握しずらい。
【０００８】
また、特許文献２及び特許文献３の技術では、ユーザ自身で画面に表示されるページを切替えて全てのページを順次表示させなければならず、文書全体での印刷状態を把握しずらい。
【０００９】
本発明は上記問題点を解決するためになされたものであり、文書データをプレビュー表示させた際に、文書全体での印刷状態を把握しやすい印刷表示装置、印刷表示方法及び印刷表示プログラムを提供することを目的とする。
【課題を解決するための手段】
【００１０】
上記目的を達成するため、請求項１に記載の発明の印刷表示装置は、複数のページで構成された文書データのページ毎の印刷対象とする用紙サイズ及び用紙方向を指定する指定手段と、前記文書データの各ページの情報を印刷される各用紙の印刷面に関連付けて前記指定手段により指定された用紙サイズ及び用紙方向に応じた表示形態で一覧表示する表示手段と、を備えている。
【００１１】
請求項１に記載の発明によれば、指定手段により、複数のページで構成された文書データのページ毎の印刷対象とする用紙サイズ及び用紙方向が指定され、文書データの各ページの情報が印刷される各用紙の印刷面に関連付けられて指定手段により指定された用紙サイズ及び用紙方向に応じた表示形態で表示手段に一覧表示される。なお、上記表示手段には、ＣＲＴディスプレイ、プラズマ・ディスプレイ、有機ＥＬディスプレイ、液晶ディスプレイ等のディスプレイが含まれる。
【００１２】
このように請求項１記載の発明によれば、複数のページで構成された文書データのページ毎の印刷対象とする用紙サイズ及び用紙方向を指定し、文書データの各ページの情報を印刷される各用紙の印刷面に関連付けて指定された用紙サイズ及び用紙方向に応じた表示形態で表示手段に一覧表示しているので、文書全体での印刷状態を把握しやすい。
【００１３】
なお、本発明は、請求項２記載の発明のように、前記表示手段が、両面印刷時に前記文書データの各ページの情報を用紙毎に表面及び裏面を見開きにした表示形態で表示してもよい。
【００１４】
また、本発明は、請求項３記載の発明のように、前記表示手段が、各ページの情報としてページ番号を表示してもよい。
【００１５】
また、請求項１記載の発明は、請求項４記載の発明のように、前記指定手段が、ページ毎に用紙に対してページの情報を印刷する印刷方向を指定し、前記表示手段が、各ページの情報を前記指定手段により指定された印刷方向に応じた方向で表示してもよい。
【００１６】
一方、上記目的を達成するため、請求項５記載の発明の印刷表示方法は、複数のページで構成された文書データのページ毎の印刷対象とする用紙サイズ及び用紙方向を指定手段により指定し、前記文書データの各ページの情報を印刷される各用紙の印刷面に関連付けて前記指定手段により指定された用紙サイズ及び用紙方向に応じた表示形態で表示手段に一覧表示する。
【００１７】
よって、請求項５に記載の発明は、請求項１に記載の発明と同様に作用するので、請求項１記載の発明と同様に、文書全体での印刷状態を把握しやすい。
【００１８】
一方、上記目的を達成するため、請求項６記載の発明の印刷表示プログラムは、コンピュータを、複数のページで構成された文書データのページ毎の印刷対象とする用紙サイズ及び用紙方向を指定する指定手段、前記文書データの各ページの情報を印刷される各用紙の印刷面に関連付けて前記指定手段により指定された用紙サイズ及び用紙方向に応じた表示形態で一覧表示する表示手段、として機能させる。
【００１９】
よって、請求項６に記載の発明は、請求項１に記載の発明と同様に作用するので、請求項１記載の発明と同様に、文書全体での印刷状態を把握しやすい。
【発明の効果】
【００２０】
以上説明したように、本発明によれば、複数のページで構成された文書データのページ毎の印刷対象とする用紙サイズ及び用紙方向を指定し、文書データの各ページの情報を印刷される各用紙の印刷面に関連付けて指定された用紙サイズ及び用紙方向に応じた表示形態で表示手段に一覧表示しているので、文書全体での印刷状態を把握しやすい、という優れた効果を有する。
【発明を実施するための最良の形態】
【００２１】
以下、図面を参照して、本発明の実施の形態について詳細に説明する。なお、本実施の形態では、本発明をパーソナル・コンピュータ（以下「ＰＣ」という）に適用すると共に、当該ＰＣにおいて文書を作成し、作成した文書をＰＣにネットワークを介して接続されているデジタル複合機によって用紙に印刷する場合を例として説明する。
【００２２】
図１に示すように、本実施の形態に係るＰＣ１０は、デジタル複合機２２とネットワーク２０を介して接続されており、当該ネットワーク２０を介してデジタル複合機２２と通信可能とされている。
【００２３】
ＰＣ１０は、各種情報を表示するディスプレイ１２と、ディスプレイ１２に表示された画像の画面上での位置をポインティング指示するマウス１４Ａと、文字情報等の入力を行うキーボード１４Ｂと、マウス１４Ａやキーボード１４Ｂを介した指示入力に応じた各種処理を行うと共にディスプレイ１２を制御する役割を有するコンピュータ本体１６と、を有している。
【００２４】
一方、デジタル複合機２２は、所定の読込位置に載置された用紙から画像を読み込み、当該画像を示す画像データを取得するスキャナ２４と、各々異なるサイズの用紙が収納された給紙トレイ２５と、スキャナ２４から取得した画像データやネットワーク２０を介してＰＣ１０から受信した画像データに基づいて何れかの給紙トレイ２５から１枚ずつ用紙を取り出して当該用紙に対して画像形成処理を行う装置本体２６と、操作メニューやメッセージ等を表示すると共に表面に透過型のタッチパネルが一体的に設けられたタッチパネル・ディスプレイ２８と、を有している。
【００２５】
なお、装置本体２６の内部には、両面印刷機構を備えた画像形成エンジン部が設けられており、用紙の表面及び裏面に画像を形成することが可能とされている。
【００２６】
図２には、本実施の形態に係るＰＣ１０の概略構成が示されている。
【００２７】
同図に示されるように、ＰＣ１０は、ＰＣ１０全体の動作を司るＣＰＵ（中央処理装置）４０と、ＰＣ１０の電源をオンした際の起動動作を制御するブートプログラムや各種パラメータ情報等が予め記憶されたＲＯＭ４２と、各種プログラムの実行時にワークエリア等として用いられるＲＡＭ４４と、上記ブートプログラムにより起動されて装置全体の動作を制御するオペレーティング・システム（以下、「ＯＳ」という。）６０や当該ＯＳ６０から実行される各種プログラム等が記憶されたハードディスク・ドライブ（以下、「ＨＤＤ」という。）４６と、マウス１４Ａやキーボード１４Ｂを介した各情報が入力される操作入力部４８と、ディスプレイ１２に対する各種情報の表示を制御するディスプレイ制御部５０と、コネクタ５２Ａを介してネットワーク２０に接続された外部装置との間でデータの送受信を行うネットワークＩ／Ｆ（インタフェース）部５２と、を備えている。
【００２８】
ＣＰＵ４０、ＲＯＭ４２、ＲＡＭ４４、ＨＤＤ４６、操作入力部４８、ディスプレイ制御部５０及びネットワークＩ／Ｆ部５２は、システムバスＢＵＳを介して相互に接続されている。従って、ＣＰＵ４０は、ＲＯＭ４２、ＲＡＭ４４、ＨＤＤ４６へのアクセスと、マウス１４Ａやキーボード１４Ｂに対するユーザの操作による指示内容の把握と、ディスプレイ制御部５０を介したディスプレイ１２への各種情報の表示と、ネットワークＩ／Ｆ部５２を介してネットワーク２０に接続された外部装置との間のデータの送受信と、を各々行うことができる。
【００２９】
ところで、本実施の形態に係るＨＤＤ４６には、文書を作成又は修正する際に実行されるワード・プロセッサ・プログラム６２と、当該文書を印刷する際の印刷処理を制御するプリンタドライバ６４と、当該文書を用紙に印刷した際の印刷状態をディスプレイ１２に表示させる制御を行う印刷プレビュープログラム６６と、が各々記憶（インストール）されている。
【００３０】
本実施の形態に係るＰＣ１０では、ユーザによってマウス１４Ａやキーボード１４Ｂを用いて文書の作成を指示する所定操作が行われると、ＯＳ６０からワード・プロセッサ・プログラム６２が実行され、ディスプレイ１２に図示しない文書作成画面が表示される。
【００３１】
ユーザは、当該文書作成画面に対してキーボード１４Ｂを用いて文字情報を入力することによって文書を作成する。作成中の文書を示す文書データはＲＡＭ４４に一時的に記憶されており、文書作成画面に対して文書の保存を指示する操作が行われると当該文書を示す文書データがＨＤＤ４６の所定領域に記憶される。
【００３２】
また、ユーザは、作成した文書を印刷する場合、文書作成画面に対してマウス１４Ａやキーボード１４Ｂを用いて印刷を指示する所定操作を行う。ＰＣ１０では、当該印刷を指示する所定操作が行われると、ＯＳ６０からプリンタドライバ６４が実行され、ディスプレイ１２に印刷条件指定画面７０が表示される。
【００３３】
図３には、印刷条件指定画面７０の表示状態例が示されている。
【００３４】
同図に示すように、印刷条件指定画面７０は、印刷条件として文書全体に対する共通印刷条件と文書を構成する各ページに対するページ別印刷条件を指定することが可能とされている。印刷条件指定画面７０には、共通印刷条件として両面印刷又は片面印刷を指定するコンボボックス７２が設けられている。また、印刷条件指定画面７０には、ページ別印刷条件として、印刷条件を指定する対象ページを指定するテキストボックス７４と、印刷対象とする用紙サイズを指定するコンボボックス７６と、用紙方向を指定するコンボボックス７８と、用紙に対する印刷方向を指定するコンボボックス８０と、が設けられている。さらに、印刷条件指定画面７０には、印刷の実行を指示する印刷実行ボタン８２、印刷条件の指定の中止を指示するキャンセルボタン８４と、が設けられている。
【００３５】
ＰＣ１０は、ユーザによってマウス１４Ａやキーボード１４Ｂを用いて印刷条件指定画面７０に所望の印刷条件が指定された後に、印刷実行ボタン８２が指定されると、プリンタドライバ６４によって文書データをデジタル複合機２２に適応した形式の画像データに変換し、変換した画像データをデジタル複合機２２へ送信する。
【００３６】
また、印刷条件指定画面７０には、指定した印刷条件で文書データを印刷した場合の印刷状態の表示を指示するプレビューボタン８６と、プレビュー表示させる開始ページを指定するテキストボックス８８と、プレビュー表示させる最終ページを指定するテキストボックス９０と、が設けられている。
【００３７】
ＰＣ１０では、ユーザによってマウス１４Ａやキーボード１４Ｂを用いて印刷条件指定画面７０に所望の印刷条件が指定され、テキストボックス８８及びテキストボックス９０にプレビュー表示させるページの範囲が指定された後に、プレビューボタン８６が指定されると、プリンタドライバ６４から印刷プレビュープログラム６６が実行されてページ順に各ページと印刷される用紙の表面及び裏面を関連付けた関連付けデータが生成され、当該関連付けデータに基づいて指定された範囲のページがディスプレイ１２に表示される。なお、テキストボックス８８に指定がされない（値が入力されない）場合は開始ページとして1ページが指定されたものとみなされ、テキストボックス９０に指定がされない場合は終了ページとして文書の最終ページが指定されたものとみなされる。
【００３８】
図４には、印刷プレビュープログラム６６が実行された際に生成されてＲＡＭ４４に一時的に記憶される関連付けデータのデータ構造の一例が示されている。
【００３９】
同図に示されるように、関連付けデータには、文書を構成するページ毎に当該ページが印刷される用紙枚数及び印刷面が定められている。
【００４０】
次に、図５を参照して、印刷プレビュープログラム６６を実行された際のＰＣ１０の作用を説明する。なお、図５は、印刷プレビュープログラム６６の処理の流れを示すフローチャートである。
【００４１】
同図のステップ１００では、ページ数を示すカウンタｎ及び用紙枚数を示すカウンタｍを共に１に初期化する。
【００４２】
次のステップ１０２では、印刷条件指定画面７０の共通印刷条件において文書全体に対して両面印刷が指定されたか否かを判定し、肯定判定であった場合はステップ１０４へ移行し、否定判定であった場合はステップ１２０へ移行する。
【００４３】
ステップ１０４では、カウンタｎの値が“１”であるか否かを判定し、肯定判定であった場合はステップ１１２へ移行し、否定判定であった場合はステップ１０６へ移行する。
【００４４】
ステップ１０６では、印刷条件指定画面７０のページ別印刷条件においてｎページ目に対して指定された用紙サイズ及び用紙方向とｎ−１ページ目に対して指定された用紙サイズ及び用紙方向とが一致するか否かを判定し、肯定判定であった場合はステップ１１０へ移行し、否定判定であった場合はステップ１０８へ移行してカウンタｍをインクリメントした後、ステップ１１２へ移行する。
【００４５】
ステップ１１０では、関連付けデータにおいてｎ−１ページ目が印刷面が表面に関連付けてられているか否かを判定し、肯定判定となった場合はステップ１１４へ移行し、否定判定となった場合は上述したステップ１０８へ移行してカウンタｍをインクリメントした後、ステップ１１２へ移行する。
【００４６】
ステップ１１２では、ｎページ目をｍ枚目の用紙の表面に関連付ける関連付けデータを作成する。
【００４７】
一方、ステップ１１４では、ｎページ目をｍ枚目の用紙の裏面に関連付ける関連付けデータを作成する。
【００４８】
ステップ１１６では、カウンタｎをインクリメントし、次のステップ１１８では、カウンタｎの値が文書データにより示される文書の全ページ数よりも大きくなったか否かを判定し、肯定判定となった場合はステップ１３０へ移行し、否定判定となった場合はステップ１０４へ再度移行する。
【００４９】
この上述したステップ１０４からステップ１１８の処理により、印刷条件指定画面７０で指定された印刷条件に応じて文書データにより示される文書の全ページがそれぞれ用紙の表面又は裏面に関連付けられた関連付けデータが生成される。例えば、印刷条件指定画面によって文書データに対して図６に示されるような各種の印刷条件が指定されていた場合、図４に示されるように、１ページ目はカウンタｎが“１”であるため上述したステップ１０４が肯定判定されて１ページ目が１枚目の用紙の表面に関連付けられる（図４のページ番号“１”参照。）。また、２ページ目は、１ページ目と用紙サイズ及び用紙方向が一致（図６参照）しているために上述したステップ１０６が肯定判定され、関連付けデータにおいて１ページ目が表面に関連付けられているために上述したステップ１１０も肯定判定されて１枚目の用紙の裏面に関連付けられる（図４のページ番号“２”参照。）。さらに、３ページ目は、２ページ目と用紙サイズ及び用紙方向が一致しないために上記ステップ１０６が否定判定されて２枚目の用紙の表面に関連付けられる（図４のページ番号“３”参照。）。
【００５０】
一方、ステップ１２０では、上述したステップ１０２が否定判定され、共通の印刷条件として文書全体に対して片面印刷が指定されているため、ｎページ目をｍ枚目の用紙の表面に関連付ける関連付けデータを作成する。
【００５１】
次のステップ１２２では、カウンタｎ及びカウンタｍを共にインクリメントし、次のステップ１２４では、カウンタｎの値が文書データにより示される文書の全ページ数よりも大きくなったか否かを判定し、肯定判定となった場合はステップ１３０へ移行し、否定判定となった場合はステップ１２０へ再度移行する。
【００５２】
この上述したステップ１２０からステップ１２４の処理により、文書の全ページがそれぞれ用紙の表面に関連付けられた関連付けデータが生成される。
【００５３】
ステップ１３０では、印刷条件指定画面７０のテキストボックス８８及びテキストボックス９０にプレビュー表示される範囲が指定されているか否かを判定し、肯定判定となった場合はステップ１３４へ移行し、否定判定となった場合はステップ１３２へ移行する。
【００５４】
ステップ１３２では、プレビュー表示の開始ページを示す変数Ｓに１を設定し、プレビュー表示の終了ページを示す変数Ｅに文書データの全ページ数を設定する。
【００５５】
一方、ステップ１３４では、変数Ｓにテキストボックス８８に指定された値を設定し、変数Ｅにテキストボックス９０に指定された値を設定する。
【００５６】
ステップ１３６では、関連付けデータに基づいてＳページ目からＥページ目までの各ページが関連付けられた用紙を特定し、特定した用紙を印刷される順に印刷条件指定画面７０で指定された各用紙サイズ及び用紙方向に応じた大きさで各用紙の表面及び裏面を見開きにした表示形態で一覧表示したプレビュー画面９５をディスプレイ１２に表示し、処理終了となる。
【００５７】
図７には、プレビュー画面９５の表示状態例が示されている。
【００５８】
本実施の形態では、プレビュー画面９５の各用紙の表面及び裏面に対して関連付けデータにより示される各用紙の表面及び裏面に関連付けられた各ページが指定された印刷方向に応じた方向で表示される。
【００５９】
また、本実施の形態に係るプレビュー画面９５は、各ページの印刷方向を右方向へ９０°回転させる右９０°回転ボタン９６と、各ページの印刷方向を左方向へ９０°回転させる左９０°回転ボタン９７と、が設けられており、ページを選択状態として右９０°回転ボタン９６及び左９０°回転ボタン９７を指定することにより、ページ別印刷条件の当該ページの印刷方向を変更することができる。
【００６０】
ユーザは、ディスプレイ１２に表示されたプレビュー画面９５から文書データの各ページが印刷される用紙のサイズ、用紙方向、ページ数の文字方向から各ページが印刷される印刷方向を容易に把握することができる。
【００６１】
以上のように本実施の形態によれば、指定手段（ここでは、マウス１４Ａやキーボード１４Ｂ）により、複数のページで構成された文書データのページ毎の印刷対象とする用紙サイズ及び用紙方向を指定し、文書データの各ページの情報を印刷される各用紙の印刷面に関連付けて指定手段により指定された用紙サイズ及び用紙方向に応じた表示形態で表示手段（ここでは、ディスプレイ１２）に一覧表示しているので、文書全体での印刷状態を把握しやすい。
【００６２】
また、本実施の形態によれば、表示手段は、両面印刷時に文書データの各ページの情報を用紙毎に表面及び裏面を見開きにした表示形態で表示しているので、各ページと当該ページが印刷される用紙の印刷面との関係を把握しやすい。
【００６３】
また、本実施の形態によれば、表示手段は、各ページの情報としてページ番号を表示しているので、用紙の表面、裏面に関連付けられたページを把握しやすい。
【００６４】
また、本実施の形態によれば、指定手段は、ページ毎に用紙に対してページの情報を印刷する印刷方向を指定し、表示手段は、各ページの情報を指定手段により指定された印刷方向に応じた方向で表示しているので、用紙の両面に各ページが印刷される際の印刷方向の所望の方向に調整することができる。
【００６５】
なお、本実施の形態では、プレビュー画面９５に右９０°回転ボタン９６及び左９０°回転ボタン９７を設けて印刷方向を変更する場合について説明したが、本発明はこれに限定されるものではなく、例えば、マウス１４Ａを用いて印刷方向を変更するページをドラッグ状態にして選択し、ドラッグ状態での操作に応じて当該ページの印刷方向を回転させる構成としてもよい。
【００６６】
また、本実施の形態では、プレビュー画面９５で印刷方向を変更する場合について説明したが、本発明はこれに限定されるものではなく、例えば、印刷対象とする用紙サイズや用紙方向を変更するボタンを設けて、ページを選択状態として当該ボタンを指定することにより、ページ毎の印刷対象とする用紙サイズや用紙方向を変更可能としてもよい。
【００６７】
また、本実施の形態では、各ページのページ番号を表示する場合について説明したが、本発明はこれに限定されるものではなく、例えば、各ページの実際に印刷される画像を解像度を低下させてプレビュー表示してもよい。これにより、各ページの画像が各用紙に印刷された際の印刷方向や印刷状態を容易に把握することができる。
【００６８】
また、本実施の形態では、プレビュー画面９５に各用紙の表面及び裏面を見開にした表示形態で表示したが、表示された用紙枚数が多い場合は各ページのプレビューが重なって見えにくくなる可能性がありため、例えば、マウス１４Ａによってプレビューの山折り部分９９を移動可能とするページめくり機能を用意してもよい。
【００６９】
その他、本実施の形態で説明したＰＣ１０の構成（図２参照。）は一例であり、本発明の主旨を逸脱しない範囲内において適宜変更可能であることは言うまでもない。
【００７０】
また、本実施の形態で説明した印刷プレビュープログラム６６の処理の流れ（図５参照。）も一例であり、本発明の主旨を逸脱しない範囲内において適宜変更可能であることは言うまでもない。
【００７１】
さらに、本実施の形態で説明した印刷条件指定画面７０及びプレビュー画面９５（図３、図７参照。）も一例であり、本発明の主旨を逸脱しない範囲内において適宜変更可能であることは言うまでもない。
【図面の簡単な説明】
【００７２】
【図１】実施の形態に係る本発明を適用したＰＣを含むシステム全体構成を示す構成図である。
【図２】実施の形態に係るＰＣの概略構成を示すブロック図である。
【図３】実施の形態に係る印刷条件指定画面の表示状態例を示す概略図である。
【図４】実施の形態に係る関連付けデータのデータ構造の一例を示す模式図である。
【図５】実施の形態に係る印刷プレビュープログラムの処理の流れを示すフローチャートである。
【図６】実施の形態に係る文書データに対して指定された印刷条件の一例を示す模式図である。
【図７】実施の形態に係るプレビュー画面の表示状態例を示す概略図である。
【符号の説明】
【００７３】
１０  ＰＣ
１２  ディスプレイ
１４Ａ  マウス
１４Ｂ  キーボード
４０  ＣＰＵ
４４  ＲＡＭ
【図１】
2007304810.tif 000003
【図２】
2007304810.tif 000004
【図３】
2007304810.tif 000005
【図４】
2007304810.tif 000006
【図５】
2007304810.tif 000007
【図６】
2007304810.tif 000008
【図７】
2007304810.tif 000009